(57)【要約】      （修正有）【課題】総合的なノイズ及び干渉環境に対してより高い理論的なスループットを提供する。【解決手段】ＯＣＤＭＡ送信構成は、同じロング・コードを用いて第１の名目上の直交偏波信号及び第２の名目上の直交偏波信号の両方をエンコードすること、及びそれぞれ第１の送信ソース及び第２の送信ソースから少なくとも１つの宛て先へロング−エンコードされた第１の名目上の直交偏波信号及び第２の名目上の直交偏波信号を送信すること、を含む。対応するＯＣＤＭＡ復調構成は、それぞれ第１の送信ソース及び第２の送信ソースから送信された第１の名目上の直交偏波信号及び第２の名目上の直交偏波信号を同じロング・コードを用いてエンコードした後で復調する。【選択図】図４
2010035178.tif 000002
【特許請求の範囲】
【請求項１】
送信方法、前記方法は：
同じロング・コードを用いて第１の名目上の直交偏波信号及び第２の名目上の直交偏波信号の両方をエンコードすること；及び
それぞれ第１の送信ソース及び第２の送信ソースから少なくとも１つの宛て先へ前記ロング−エンコードされた第１の名目上の直交偏波信号及び第２の名目上の直交偏波信号を送信すること、
を具備する方法。
【請求項２】
請求項１の方法、前記方法は：
各サブチャネルにおいてそれぞれ複数の相互に別個のウォルシュ符号を適用することによって前記第１の名目上の直交偏波信号及び第２の名目上の直交偏波信号の各々の複数のサブチャネルを直交化すること、
をさらに具備する
【請求項３】
請求項２の方法、ここにおいて、前記直交化するステップは：
通信システムの異なるそれぞれのユーザから発せられる異なるそれぞれの信号に異なるウォルシュ符号を適用すること、を含む。
【請求項４】
請求項３の方法、ここにおいて：
前記送信するステップは、直交符号分割多元接続（ＯＣＤＭＡ）通信システムにおいて実行される。
【請求項５】
請求項１の方法、ここにおいて：
前記送信するステップは、直交符号分割多元接続（ＯＣＤＭＡ）通信システムにおいて実行される。
【請求項６】
請求項１の方法、ここにおいて、前記送信するステップは：
複数の第１の送信ソースから及び複数の第２の送信ソースから、それぞれ、前記少なくとも１つの宛て先へ前記ロング−エンコードされた第１の名目上の直交偏波信号及び第２の名目上の直交偏波信号を送信すること、を含む。
【請求項７】
請求項１の前記送信方法を含みそして下記をさらに具備する通信方法、前記方法は：
前記宛て先において、前記エンコードされた第１の名目上の直交偏波信号及び第２の名目上の直交偏波信号を受信すること；及び
前記宛て先において受信した前記受信したエンコードされた第１の名目上の直交偏波信号及び第２の名目上の直交偏波信号に前記同じロング・コードを適用すること、
を具備する方法。
【請求項８】
それぞれ第１の送信ソース及び第２の送信ソースから送信された第１の名目上の直交偏波信号及び第２の名目上の直交偏波信号を同じロング・コードを用いてエンコードした後で復調する方法、前記方法は：
前記エンコードされた第１の名目上の直交偏波信号及び第２の名目上の直交偏波信号を受信すること；及び
前記受信したエンコードされた第１の名目上の直交偏波信号及び第２の名目上の直交偏波信号に前記同じロング・コードを適用すること、
を具備する方法。
【請求項９】
請求項８の方法、前記方法は：
各サブチャネルにおいてそれぞれ複数の相互に別個のウォルシュ符号を適用することによって前記第１の名目上の直交偏波信号及び第２の名目上の直交偏波信号の各々の中の複数のサブチャネルを分離すること、をさらに具備する。
【請求項１０】
請求項９の方法、ここにおいて、前記分離するステップは：
通信システムの異なるそれぞれのユーザから発せられる異なるそれぞれの信号に異なるウォルシュ符号を適用すること、を含む。
【請求項１１】
請求項１０の方法、ここにおいて、
前記受信するステップは、直交符号分割多元接続（ＯＣＤＭＡ）通信システムにおいて実行される。
【請求項１２】
請求項８の方法、ここにおいて
前記受信するステップは、直交符号分割多元接続（ＯＣＤＭＡ）通信システムにおいて実行される。
【請求項１３】
請求項８の前記復調方法を含みそして下記をさらに具備する通信方法、前記通信方法は：
前記同じロング・コードを用いて前記第１の名目上の直交偏波信号及び第２の名目上の直交偏波信号の両方をエンコードすること；及び
前記復調する方法が実行される少なくとも１つの宛て先へ、それぞれ第１の送信ソース及び第２の送信ソースから前記ロング−エンコードされた第１の名目上の直交偏波信号及び第２の名目上の直交偏波信号を送信すること、
を具備する。
【請求項１４】
請求項１３の方法、ここにおいて、前記送信するステップは：
複数の第１の送信ソースから及び複数の第２の送信ソースから、それぞれ、前記少なくとも１つの宛て先へ前記ロング−エンコードされた第１の名目上の直交偏波信号及び第２の名目上の直交偏波信号を送信すること、を含む。
【請求項１５】
少なくとも１つのデータ処理デバイスを有するコンピュータ・システム上で実行のためのプログラム命令を記憶するコンピュータ・プログラム製品、その命令は、前記コンピュータ・システムによって実行された時に、前記コンピュータ・システムに請求項１の方法を実行させる。
【請求項１６】
少なくとも１つのデータ処理デバイスを有するコンピュータ・システム上で実行のためのプログラム命令を記憶するコンピュータ・プログラム製品、その命令は、前記コンピュータ・システムによって実行された時に、前記コンピュータ・システムに請求項７の方法を実行させる。
【請求項１７】
少なくとも１つのデータ処理デバイスを有するコンピュータ・システム上で実行のためのプログラム命令を記憶するコンピュータ・プログラム製品、その命令は、前記コンピュータ・システムによって実行された時に、前記コンピュータ・システムに請求項８の方法を実行させる。
【請求項１８】
請求項１の方法を実行するために構成されたシステム。
【請求項１９】
請求項７の方法を実行するために構成されたシステム。
【請求項２０】
請求項８の方法を実行するために構成されたシステム。
【請求項２１】
送信システム、前記システムは：
同じロング・コードを用いて第１の名目上の直交偏波信号及び第２の名目上の直交偏波信号の両方をエンコードするための手段；
第１の送信ソースから少なくとも１つの宛て先へ前記ロング−エンコードされた第１の名目上の直交偏波信号を送信するための第１の手段；及び
第２の送信ソースから少なくとも１つの宛て先へ前記ロング−エンコードされた第２の名目上の直交偏波信号を送信するための第２の手段、
を具備する送信システム。
【請求項２２】
請求項２１のシステム、前記システムは：
各サブチャネルにおいてそれぞれ複数の相互に別個のウォルシュ符号を適用することによって前記第１の名目上の直交偏波信号及び第２の名目上の直交偏波信号の各々の複数のサブチャネルを直交化するための手段、をさらに具備する。
【請求項２３】
請求項２２のシステム、ここにおいて、前記直交化する手段は：
通信システムの異なるそれぞれのユーザから発せられる異なるそれぞれの信号に異なるウォルシュ符号を適用するための手段、を含む。
【請求項２４】
請求項２１のシステム、ここにおいて、前記第１の送信手段及び第２の送信手段は：
複数の第１の送信ソースから及び複数の第２の送信ソースから、それぞれ、前記少なくとも１つの宛て先へ前記ロング−エンコードされた第１の名目上の直交偏波信号及び第２の名目上の直交偏波信号を送信するための手段、を含む。
【請求項２５】
請求項２１の送信システムを含みそして下記をさらに具備する通信システム、前記通信システムは：
前記エンコードされた第１の名目上の直交偏波信号及び第２の名目上の直交偏波信号を受信するための手段；及び
前記宛て先において受信した前記受信したエンコードされた第１の名目上の直交偏波信号及び第２の名目上の直交偏波信号に前記同じロング・コードを適用するための手段、
を具備する通信システム。
【請求項２６】
それぞれ第１の送信ソース及び第２の送信ソースから送信された第１の名目上の直交偏波信号及び第２の名目上の直交偏波信号を同じロング・コードを用いてエンコードした後で復調するためのシステム、前記システムは：
前記エンコードされた第１の名目上の直交偏波信号及び第２の名目上の直交偏波信号を受信するための手段；及び
前記受信したエンコードされた第１の名目上の直交偏波信号及び第２の名目上の直交偏波信号に前記同じロング・コードを適用するための手段、
を具備するシステム。
【請求項２７】
請求項２６のシステム、前記システムは：
各サブチャネルにおいてそれぞれ複数の相互に別個のウォルシュ符号を適用することによって前記第１の名目上の直交偏波信号及び第２の名目上の直交偏波信号の各々の中の複数のサブチャネルを分離するための手段、
をさらに具備する。
【請求項２８】
請求項２７のシステム、ここにおいて、前記分離する手段は：
通信システムの異なるそれぞれのユーザから発せられる異なるそれぞれの信号に異なるウォルシュ符号を適用するための手段、を含む。
【請求項２９】
請求項２６の復調システムを含みそして下記をさらに具備する通信システム、前記通信システムは：
前記同じロング・コードを用いて前記第１の名目上の直交偏波信号及び第２の名目上の直交偏波信号の両方をエンコードするための手段；
第１の送信ソースから少なくとも１つの宛て先へ前記ロング−エンコードされた第１の名目上の直交偏波信号を送信するための第１の手段；及び
第２の送信ソースから少なくとも１つの宛て先へ前記ロング−エンコードされた第２の名目上の直交偏波信号を送信するための第２の手段、
を具備する通信システム。
【請求項３０】
請求項２９のシステム、ここにおいて、前記第１の送信手段及び第２の送信手段は：
複数の第１の送信ソースから及び複数の第２の送信ソースから、それぞれ、前記少なくとも１つの宛て先へ前記ロング−エンコードされた第１の名目上の直交偏波信号及び第２の名目上の直交偏波信号を送信するための手段、を含む。
【発明の詳細な説明】
【技術分野】
【０００１】
本発明は、直交チャネルが使用される通信システムにおける直交偏波（cross- polarization）干渉の抑制に係る。より詳しくは、本発明は、直交符号分割多元接続（ＯＣＤＭＡ：orthogonal code division multiple access）通信システムに関係し、そこでは直交偏波干渉抑制を維持しながら、同じロング・コードが、両方の偏波チャネル（例えば、左手チャネル及び右手チャネル）において使用される。
【背景技術】
【０００２】
従来の通信システムにおいて、能力を増加させるために左偏波及び右偏波を同時に使用することが知られている。各偏波内の複数のチャネルは、例えば、ウォルシュ符号技術を使用して直交化させることができる。ＣＤＭＡ（code division multiple access（符号分割多元接続））についての従来の知識は、さらに、複数のセル又はセクタの境界における干渉の問題、マルチパス問題、及びその他のような問題の克服を手助けするために、（例えば、ロング・コード拡散による）ランダム化の使用を教示する。しかしながら、複数の直交チャネルのための個別のロング・コードを含んでいる従来のロング・コード拡散は、結果として最適な信号対干渉足すノイズ比（ＳＩＮＲ：signal to interference- plus-noise ratio）になるようには思われない。
【０００３】
したがって、ＳＩＮＲを効率的に最大化する（そして、示唆として、フレーム誤り率（ＦＥＲ：frame error rate）を最小化する）ための構成を提供するため、それに伴って所定の総合的なノイズ及び干渉環境に対してより高い理論的なスループットを提供するためにこの技術における必要性がある。
【先行技術文献】
【特許文献】
【０００４】
【特許文献１】米国特許出願第１０／４２８，９５３号
【発明の概要】
【０００５】
ＯＣＤＭＡ送信構成（OCDMA transmission arrangement）は、同じロング・コードを用いて第１の名目上の直交偏波信号及び第２の名目上の直交偏波信号の両方をエンコードすること、及びそれぞれ第１の送信ソース及び第２の送信ソースから少なくとも１つの宛て先へロング−エンコードされた第１の名目上の直交偏波信号及び第２の名目上の直交偏波信号を送信すること、を含む。対応するＯＣＤＭＡ復調構成は、それぞれ第１の送信ソース及び第２の送信ソースから送信された第１の名目上の直交偏波信号及び第２の名目上の直交偏波信号を同じロング・コードを用いてエンコードした後で復調する。復調構成は、エンコードされた第１の名目上の直交偏波信号及び第２の名目上の直交偏波信号を受信すること、及び受信されたエンコードされた第１の名目上の直交偏波信号及び第２の名目上の直交偏波信号に同じロング・コードを適用すること、を含む。
【図面の簡単な説明】
【０００６】
【図１】図１は、直交偏波干渉抑制構成の可能性のあるアプリケーションを模式的に示す。
【図２】図２は、衛星通信システムの戻りリンクの送信エンドにある端末（図１の１１０又は１２０）の１実施形態を図示し、そこでは、直交偏波干渉抑制構成が実行されることができる。
【図３】図３は、衛星通信システムの戻りリンクの受信エンドにある（図１の衛星通信システム中のゲートウェイ１５０のような）ノードの１実施形態を図示し、そこでは、直交偏波干渉抑制構成が実行されることができる。
【図４】図４は、直交偏波干渉抑制方法の１実施形態を説明するフローチャートを示す。
【詳細な説明】
【０００７】
記載された複数の実施形態のより完全な認識は、添付した図面に関係して斟酌される以下の詳細な説明を参照することによってより良く理解される。図面では、同じ参照符号は一貫して同じ要素又は対応する要素を参照する。
【０００８】
図面に示され説明されている実施形態において、特殊な用語が明確化の目的のために採用されている。しかしながら、本発明は、そのように選択された特殊な用語に限定されるように意図されるのではなく、各特殊な要素が類似の目的を達成するために類似の方法で動作する全ての技術的に等価なものを含むことが、理解されるはずである。
【０００９】
その上、その実行が当業者にとって周知の機能及び手順は、簡潔さのために省略される。例えば、ソフトウェア・ループの開始及び終了、その複数の機能を実行するために必要なネットワークの一部から別の部分へのパラメータの通信、及びその他は、当業者の能力の範囲内である。しかも、増倍器、スプレッダ、加算器、コンバイナ、ミキサ、フィルタ、コード発生器、アップコンバータ、ダウンコンバータのような素子は、同様に、当業者の能力の範囲内であり、そしてしたがって、それらのいずれかの詳細な表現が、省略されることがある。
【００１０】
さらに、データ通信システムの種々の態様、機能及び実施形態は、フローチャート、フロー図、構造図、又はブロック図として図示されることができるプロセスとして説明されることがある。フローチャートは、一連のプロセスとして複数の動作を説明することができるが、複数の動作の多くが、並行して、同時に、又は説明されたものと異なる順序で実行されることが可能である。特定の実施のために必要でない又は望まれない動作は、省略されることがある。プロセスは、方法、機能、手順、ソフトウェア・モジュール、サブルーチン、サブプログラム、又はこれらの任意の組み合わせに対応することができる。
【００１１】
本明細書は、顧客前提装置（ＣＰＥ：customer premise equipment）に言及することができ、そして地上波通信ネットワークと衛星通信ネットワークとの間のゲートウェイに言及することができる。しかしながら、これらの用語が、一般に、端末、ワークステーション、パーソナル・コンピュータ、及びその他に広く適用され、同様に、説明された構成が、一般に、ルータ、スイッチ、プロクシ・サーバ、ノード、及びその他に広く適用されることが、理解される。その上、ネットワーク中の特定の位置において与えられようとしている又は実行されようとしているように説明される制御機能のような機能は、ネットワーク中の別のふさわしい位置において同様に実行されることができる。
【００１２】
下記の説明は、“ランダム・アクセス・チャネル”（例えば、ＴＩＡ／ＥＩＡ／ＩＳ９５中に明記されたようなもの）、又は予約指向チャネル（reservation-oriented channel）（例えば、米国特許出願第１０／４２８，９５３号、２００３年５月１日出願、名称“衛星リンクの戻りリンク上の直交符号分割多元接続（Orthogonal Code Division Multiple Access On Return Link Of Satellite Links）”に開示されたもののようなもの）を呼ぶことがある。これらのチャネルは、単に具体例のチャネル・タイプであり、本構成は、別のチャネル・タイプに適用されることができる。
【００１３】
本明細書において使用される様々な用語は、特許請求の範囲を説明する際に使用される場合、その最も広い妥当な説明を与えるものである。
【００１４】
手短に、少なくとも３つのチャネルが、与えられる、これは、本明細書において記載される通信ネットワークの実施形態の戻りリンク（ＲＬ：return link）における使用のために適している。３つのタイプのチャネルは、下記を含む。
【００１５】
・ランダム・アクセス・チャネル（ＲＡＣＨ：Random Access Channel）は、通信媒体へのランダム・アクセスを可能にする予約なし管理方法を使用し、そしてＡＣＤＭＡ（asynchronous code division multiple access（非同期符号分割多元接続））技術を採用する。ＲＡＣＨは、それゆえ、“ランダムな”（スケジュールされていない）時間におけるアクセスを提供するが、総合データ・レートを犠牲にする。
【００１６】
・予約チャネル（ＲＥＳＣＨ：REServation CHannel）は、限定された数のコード（ウォルシュ符号）に基づいて媒体へのアクセスを可能にする予約指向の管理方法を使用し、コードは、それぞれの端末に対して（例えば）ゲートウェイによって指定され、その結果、そのゲートウェイは、複数の端末のあいだで信頼性良く識別できる。複数のコードは、相互に直交し、異なる端末からの通信が互いに干渉しないことを確実にする。ＲＥＳＣＨは、そのようにＯＣＤＭＡ（orthogonal code division multiple access（直交符号分割多元接続））を採用し、そして全体のデータ・レートの点でＲＡＣＨよりもさらに効率的であるが、ＲＡＣＨのランダムな（スケジュールされていない）アクセス能力によって与えられる自由度を犠牲にする。ある複数の実施形態において、ＲＥＳＣＨは、“常時オン（always-on）”チャネルと呼ばれるサブチャネルを含むことができる。
【００１７】
・ハートビート・チャネル（ＨＣＨ：Heartbeat Channel）は、ＣＰＥとゲートウェイとの間のフィードバック・チャネルに関係する。
【００１８】
本直交偏波干渉抑制構成に特に関係するものは、予約チャネル（ＲＥＳＣＨ）である。ＲＥＳＣＨをサポートするために使用される物理チャネル構造は、直交ＣＤＭＡ（ＯＣＤＭＡ）である。ある者は、長さ１のウォルシュ符号を使用するＴＤＭＡアプローチを思いつくことができる。ＯＣＤＭＡにおけるチャネル・バンド幅は、異なる長さの複数の直交ウォルシュ符号にしたがって分割される。戻りリンクにおける端末のデータ・レート要求に応じて、ＯＣＤＭＡにおいて端末は、特定の長さの直交ウォルシュ符号を指定される。（指定されたウォルシュ符号によって規定される）バンド幅は、一定の時間インターバルのあいだ端末に割り当てられる。物理層チャネルの個別の細目、及びゲートウェイにおいて受信される複数の端末の信号間の直交性を実現するために使用されることができるメカニズムの個別の細目は、当業者によって実行されることが可能である。
【００１９】
より具体的に直交偏波干渉削減特性に関して、あるシナリオにおいて、信号強度は、大きく変化しない（例えば、ある衛星通信システムにおいて±２ｄＢだけである）、そしてマルチパス干渉は重要性が減少することを、本発明者らは、実現した。そのようなシナリオにおいて、発明者らは、複数の現象を観測した。
【００２０】
第１に、一定であるがかなりの量の干渉は、異なるロング・コード拡散を用いた反対の偏波を有するユーザから経験されることがある。逆に、良い時間同期のために、（相互に異なるウォルシュ符号を使用する）大部分の別のユーザによって、何の干渉も発生されない。実際のところ、干渉は、１つのユーザ（同じウォルシュ符号を指定されたユーザ）から受けることがあるが、この干渉は、良い偏波の純度及びアンテナの分離を確実にすることによって相対的に小さくできる。
【００２１】
その上、ロング・コードによる拡散がないシミュレーション及びリンク・バジェット解析がある種の衛星通信システムに対して有利であるけれども、そこでは、戻りリンクの直交部分における干渉に対する大きな寄与が、もし異なる偏波が異なるロング・コードを用いて拡散される場合に受ける直交偏波の寄与から来ることを、本発明者らは、認識することができる。干渉の全てのソースを総合的に解析すると、本発明者らは、ロング・コードを異ならせることによって２つの偏波チャネルを識別することは、信号対干渉足すノイズ比（ＳＩＮＲ）があるシナリオに関して実際に最大化されないという不利益を有することを認識している。ＳＩＮＲを改善するために（そして言外に、フレーム誤り率（ＦＥＲ）を削減させるために）、本発明者らは、同じロング・コードが両方の偏波に対して適用される構成を提供する。
【００２２】
図１は、限定しない例として、直交偏波干渉抑制構成の関係又はアプリケーションを示し、そこでは、通信ネットワークの戻りリンク（ＲＬ：return link）は、衛星通信ネットワークを含む。図１において、種々の“端末”（顧客前提装置、ＣＰＥ）１１０，１２０．．．が衛星１００にそれぞれの衛星パラボラ・アンテナ１１１，１２１，．．．を介してつなげられ、そしてそれゆえ、ノードの衛星パラボラ・アンテナ１５１を介して（インターネット・ゲートウェイのような）“ノード”につなげられる。
【００２３】
順方向リンク（ＦＬ：forward link）１３０は、ノードからいずれかの端末への通信の方向を表す。逆に、逆方向リンク（ＲＬ：reverse link、時々戻りリンクと呼ばれる）１４０は、いずれかの端末からノードへの通信の方向を表す。ＲＬは、上に説明されたように、ＯＣＤＭＡ技術とＡＣＤＭＡ技術との組み合わせを使用して実行されることができる。
【００２４】
ゲートウェイ（ノード）が変化できるように、ＣＰＥ（端末）は、構造及び動作において変化できる。一般に、端末及びノードは、相互に共用できるプロトコル、例えば、ＴＣＰ／ＩＰ及びＨＴＴＰ、にしたがって動作する通信装置を有し、端末がノードを経由してインターネットへアクセスすることを可能にする。ノード及び端末は、本明細書中に説明される機能を実行するために構成されたそれぞれのプロセッサを含む。インターネット・ゲートウェイを実装する時に、ノードは、同様にプロクシ・サーバを含み、ノードのインターネットへのアクセスを可能にする。
【００２５】
図２は、衛星通信システムの戻りリンクの送信エンドにある端末（図１の１１０又は１２０）の１実施形態を図示し、そこでは、直交偏波干渉抑制構成が実行されることができる。図２において、同相（in-phase）信号及び直交（quadrature）信号は、入力点Ａ及びＢにおいて与えられる。点Ａ及びＢにおける信号は、例えば、ＴＤＭマルチプレクサから引き出されることができ、マルチプレクサは、下記のように信号を選択的に配置する：
・エンコードされ、スクランブルされ（チャネル−インターリーブされ）、（例えば、ＱＰＳＫ、ＰＳＫ又はＱＡＭによって）変調され、そしてそれ以外は処理されることができる物理層ユーザ・データ・パケットの形式であり得るユーザのデータ、
・擬似ノイズ・プリアンブル、
・パイロット信号、及び／又は
・具体的に列挙されないその他。
【００２６】
勿論、以下に説明されようとしている直交偏波干渉抑制構成は、データのいずれかの特定のタイプ又は配置を必要としない。
【００２７】
異なるユーザからのデータは、同じタイム・スロットにおいて見つけられることがある。説明される構成では、各ユーザに固有であるウォルシュ符号が与えられる。入力点Ａ及びＢからの同相信号及び直交信号は、それぞれの乗算器２１１，２１２、これは各ユーザに固有のウォルシュ符号によって駆動される、に入力される。各ユーザに応じてエンコードされた、結果としての信号は、それぞれ構成要素２２１，２２２に渡される。
【００２８】
各ウォルシュ・シンボルに対して、構成要素２２１，２２２は、ロング・コード、これは擬似ノイズ系列である、を用いて構成要素２１１，２１２からの結果としての信号を統合する。ロング・コード発生器２２０は、ロング・コード・マスクに基づいて構成要素２２１，２２２にロング・コードを与える。１つの実施形態では、ロング・コード期間は、ウォルシュ符号期間よりも著しく短い（例えば、２００分の１である）。
【００２９】
重要なことに、同じロング・コード・マスクが左偏波及び右偏波の両方に対して使用される。これは、図１を参照して、同じロング・コード・マスクが端末１１０（左偏波）及び端末１２０（右偏波）の両方に対して使用されることができる。両方の偏波に対する同じロング・コード・マスクのこの使用は、従来の構成、そこでは相互に別々のロング・コード・マスクが異なる偏波に対して使用される、と対照的である。
【００３０】
構成要素２２１，２２２からの結果としての信号は、それぞれベースバンド・フィルタ２３１，２３２に与えられる。フィルタ２３１，２３２は、パルス成形機能を実行し、そしてミキサ２４１，２４２にそれぞれの信号を与える。ミキサ２４１，２４２は、それぞれｃｏｓ（２πｆＩＦｔ）及びｓｉｎ（２πｆＩＦｔ）によって表される中間周波数（ＩＦ：intermediate frequency）信号によって駆動される。
【００３１】
ミキサ２４１，２４２からの同相高周波信号及び直交高周波信号は、加算器２５０に入力され、ＲＥＳＣＨ（予約チャネル）波形を形成する、その一般的な特性は上に述べられた。ＲＥＳＣＨ波形は、直交ＣＤＭＡ（ＯＣＤＭＡ）信号である。ＣＤＭＡ信号の直交性は、構成要素２１１，２１２においてウォルシュ符号技術の巧妙な適用によって与えられる。ＲＥＳＣＨ信号が直交ＣＤＭＡ信号であるという事実は、構成要素２２１，２２２に対する同じロング・コード・マスクの使用が直交偏波干渉抑制を損なわないことを保証する。
【００３２】
加算器２５０からのＲＥＳＣＨ波形は、アップ−コンバータ２６０を経由して与えられ、アップ−コンバータは、それぞれ端末１１０又は１２０から衛星１００（図１）に送信するアンテナ１１１又は１２１を駆動する。
【００３３】
その通信システムに本実施形態が適用されることができる代表的な通信システムの一般的なアイデアを伝達するために、図２中の様々な点における信号は、下記のビット・レート、シンボル・レート、又は送信周波数を有することができる：
・信号Ａ，Ｂ：３７５−５００ｋｓｐｓ（毎秒キロ−シンボル）
・２１１，２１２のアウトプット：３Ｍｓｐｓ（毎秒メガ−シンボル）
・２２１，２２２のアウトプット：３Ｍｓｐｓ
・２３１，２３２のアウトプット：３Ｍｓｐｓ
・２４１，２４２のアウトプット：３．０ＭＨｚ（１Ｈｚ／ｂｐｓのスペクトル効率を仮定し；２位相変調、ＢＰＳＫを仮定する）
・２５０のアウトプット：３Ｍｂｐｓ（毎秒メガビット；４相加算の後に６Ｍｓｐｓになる；４相位相変調、ＱＰＳＫを仮定する）
・２６０のアウトプット：３０ＧＨｚのキャリア周波数において３．０ＭＨｚ
当然、これらは、ビット・レートおよび送信周波数の単なる非限定的な例であり、それに対して本直交偏波干渉抑制構成が有用である。本直交偏波干渉抑制構成が異なるビット・レート及び送信周波数を用いて機能することを、そしてそれゆえ、本発明は、本明細書中に記載された複数の例によって限定されるべきでないことを、当業者は容易に認識するであろう。
【００３４】
図３は、衛星通信システムの戻りリンクの受信エンドにおける（図１の衛星通信システム中のゲートウェイ１５０のような）ノードの１実施形態を図示し、そこでは、直交偏波干渉抑制構成が実行されることができる。大部分、受信エンド・ノードすなわちゲートウェイ１５０（図３）における機能は、送信エンド１１０，１２０（図２）において実行された機能と逆の順番で実行される。
【００３５】
図３をより具体的に参照して、アンテナ１５１は、衛星１００からの信号を受信し、そして受信した信号を直交モード・トランスデューサ（ＯＭＴ）３６０に供給する。ＯＭＴ３６０は、受信された直交ＣＤＭＡ信号をパス３６１上に与えられる左偏波信号とパス３６２上に与えられる右偏波信号とに分割する。左偏波信号は、（例えば）端末１１０（図１）から発せられ、そして右偏波信号は、（例えば）端末１２０（図１）から発せられる。
【００３６】
パス３６１上の左偏波信号は、ダウン−コンバータ３５１に供給され、そしてそれからミキサ３４１，３４２に供給される。ミキサ３４１，３４２は、それぞれ直交位相中間周波数（ＩＦ）信号ｃｏｓ（２πｆＩＦｔ）及びｓｉｎ（２πｆＩＦｔ）を受け取る。ミキサ３４１，３４２は、同相信号及び直交信号をそれぞれフィルタ３３１，３３２に与え、フィルタは、それぞれパルス成形機能を実行する。
【００３７】
フィルタ３３１，３３２は、それぞれ構成要素３２１，３２２にフィルタされた信号を与える。構成要素３２１，３２２は、ロング・コード発生器３２０Ｌから同じロング・コードを受け取る。ロング・コード発生器３２０Ｌ、その“Ｌ”は端末１１０（図１）からの左偏波信号を示す、は、ロング・コード発生器３２０Ｒ、その“Ｒ”は端末１２０（図１）からの右偏波信号を示す、と同じロング・コード・マスクを受け取る。構成要素３２１，３２２は、乗算器３１１，３１２にロング−コード−デコードされた信号を与える。
【００３８】
図３は、各ユーザに固有であるウォルシュ符号を受け取る構成要素３１１，３１２を示す。図３は、文字通りではないが、これに関して、ウォルシュ・チャネル・データ再生の一般的な原理だけを模式的に示している。実際的なインプリメンテーションでは、全てのウォルシュ・チャネルは、高速アダマール変換技術（fast Hadamard transform techniques）を使用して共に復調されることができる。図面は、どのようにして１対のウォルシュ関数が分離されるかのみを示す。ウォルシュ符号に関係する処理の詳細は、両方の偏波に対して１つのロング・コード・マスクの使用に直接関係しない。したがって、これらのウォルシュ符号の詳細の説明は、省略される。構成要素３１１，３１２は、デマルチプレックサ、デコーダ、チャネル・デ−インターリーバ、及びその他のような直交偏波干渉抑制構成に直接関係しないさらなる回路に信号を与える。
【００３９】
図３において、パス３６１上の左偏波信号に対してそれぞれ構成要素３５１，３４１，３４２，３３１，３３２，３２０Ｌ，３２１，３２２，３１１及び３１２に関連して上に説明されたものと類似の方法で、構成要素３５２，３４３，３４４，３３３，３３４，３２０Ｒ，３２３，３２４，３１３及び３１４は、パス３６２上の右偏波信号に対する機能を実行する。異なる、ユーザに依存するウォルシュ符号が、構成要素３１１−３１４に与えられる。しかしながら、従来のシステムと対照的に、同じロング・コード・マスクが、左偏波及び右偏波の両方に対して使用される。
【００４０】
図４は、直交偏波干渉抑制方法の１実施形態を説明するフローチャートである。送信方法４００中の複数のステップは、１又はそれより多くの送信端末１１０及び／又は１２０の内部で実行され、一方で、受信方法５００中の複数のステップは、ノード（ゲートウェイ）１５０（図１）の内部で実行される。送信方法及び受信方法４００，５００は、別々の方法を考慮することができる、又はこれらは、１つの方法として総合的に考慮されることができる。
【００４１】
ブロック４０２は、ユーザ・データを含んでいる信号の入力を示す（図２の点Ａ及びＢ参照）。
【００４２】
ブロック４０４は、入力信号へのユーザに依存するウォルシュ符号の適用を示し（図２構成要素２１１，２１２参照）、そのようにして複数の信号を直交化する。
【００４３】
ブロック４０６は、ロング・コードの適用を示し、これは、左偏波及び右偏波の両方に対して同じロング・コードである（図２の構成要素２２０，２２１，２２２参照）。
【００４４】
ブロック４０８は、結果としてのエンコードされた信号のフィルタリングを示す（図２の構成要素２３１，２３２参照）。
【００４５】
ブロック４１０は、高周波数の同相成分及び直交成分の両方を含んでいる直交信号、特に直交ＣＤＭＡ信号の形成を示す（図２の構成要素２４１，２４２，２５０参照）。
【００４６】
ブロック４１４は、通信媒体上の信号の送信を示す（図２のアップ−コンバータ２６０及び図１のアンテナ１１１／１２１参照）。通信媒体は、例えば、衛星通信システムの戻りリンク１４０（図１）を含むように広く知られている。
【００４７】
ブロック５１４は、戻りリンク１４０（図１）のような通信媒体からの直交ＣＤＭＡ信号の受信を示す；図３のアンテナ１５１参照。
【００４８】
ブロック５１２は、受信された信号を左偏波信号及び右偏波信号へと分離することを説明する（図３の直交モード・トランスデューサ（ＯＭＴ）３５０のアウトプットにおけるパス３５１，３５１参照）。
【００４９】
ブロック５０８は、ミキサ３４１−３４４からの信号のフィルタリングを示し（図３の構成要素３３１−３３４参照）、これは、左偏波信号及び右偏波信号を高周波数からダウン・コンバートする。
【００５０】
ブロック５０６は、同じロング・コード・マスクを使用して両方の偏波からのフィルタされた信号のデコーディングを示す（構成要素３２０Ｌ．３２０Ｒ，３２１−３２４参照）。
【００５１】
ブロック５０４は、各ユーザに固有のウォルシュ符号を使用するデコーディングを示す（図３の構成要素３１０−３１４参照）。
【００５２】
ブロック５０２は、デマルチプレクサのような追加の回路にユーザ・データを含んでいる信号の出力を示す。
【００５３】
上記の実施形態は、少なくとも下記の方法で従来の構成から区別されることができる。能力を向上させるために、通信システムにおいて左偏波及び右偏波を同時に使用することは、公知である。従来は、左偏波チャネル及び右偏波チャネルは、相互に別個のロング・コードによって拡散される。したがって、左偏波チャネル及び右偏波チャネルの両方に同じロング・コードを使用することは、従来行われてきていない。本発明の同じロング・コードの従来にない使用は、下記の方法によって認識されることができる。
【００５４】
各偏波チャネルが（例えば、ウォルシュ符号技術を使用して生成された）直交サブチャネルを有する場合に、反対に偏波されたユーザの集合から１つを除いた全てのユーザからの直交偏波干渉を抑制することが可能である。別個のウォルシュ符号は、同じ偏波を有する複数のユーザ間の干渉を抑制する。別個のロング・コードは、もし使用されるならば、干渉を抑制するはずであるが、同じロング・コードが両方の偏波に使用されるので、異なる偏波であるが同じウォルシュ符号を有する複数の特定のユーザ間のランダムでない（ノイズ状でない）干渉がある。
【００５５】
干渉が特に適切に選択された変調方式を用いた付加的な白色ガウス・ノイズ（ＡＷＧＮ：additive white Gaussian noise）とＳＩＮＲの低い値とを厳密に比較するという事実が与えられると、この少ない数のユーザ間のこの特定の干渉が、許容できることを、試験は示した。１７ｄＢの偏波分離及び直交コーディングからの２０ｄＢの抑制を有する１つのシステムにおいて、この構成は、１０−４のフレーム誤り率（ＦＥＲ）で０．４ｄＢの信号対干渉足すノイズ比（ＳＩＮＲ）利得を与える。この利得は、衛星通信システムのように、マルチ−パス効果が無視される時に特に可能である。
【００５６】
本明細書中に説明された方法に関して、同様に与えられたものは、少なくとも１つのデータ処理装置を有するコンピュータ・システム上の実行のためのプログラム命令を記憶する（記憶媒体のような）コンピュータ・プログラム製品であり、コンピュータ・システムによって実行された時に、その命令は、コンピュータ・システムに本明細書中で説明された方法を実行するようにさせる。
【００５７】
さらに与えられたものは、本明細書中に説明された複数の方法を実行するためのシステムであり、そのシステムは少なくとも１つの端末（又は顧客前提装置）及び（ゲートウェイのような）ノードを含む。端末及びノード（又はゲートウェイ）、及びその他は、当業者によって容易に与えられることができる。一般に、これらの構成要素は、実行される機能に適切であるように当業者により知られた技術を採用している任意の適切なコンピュータとして与えられることができる。端末又はノードは、コンピュータ技術において知識のあるものに明らかになるように、前述の教示にしたがってプログラムされた従来の汎用コンピュータを使用して実行されることができる。適切なソフトウェアは、ソフトウェア技術において知識のあるものに明らかになるように、本明細書の教示に基づいて通常のスキルのプルグラマによって容易に準備されることができる。別の利用可能なオペレーティング・システムを用いて動作するその他の好適なプログラミング言語が、選択されることがある。
【００５８】
汎用コンピュータは、上記の方法を実行でき、そこでは、コンピュータ・ハウジングは、ＣＰＵ（central processing unit（中央処理装置））、メモリ、例えば、ＤＲＡＭ（dynamic random access memory（ダイナミック・ランダム・アクセス・メモリ））、ＲＯＭ（read only memory（読出し専用メモリ））、ＥＰＲＯＭ（erasable programmable read only memory（消去・プログラム可能読出し専用メモリ））、ＥＥＰＲＯＭ（electrically erasable programmable read only memory（電気的消去・プログラム可能読出し専用メモリ））、ＳＲＡＭ（static random access memory（スタティック・ランダム・アクセス・メモリ））、ＳＤＲＡＭ（synchronous dynamic random access memory（同期型ダイナミック・ランダム・アクセス・メモリ））、及びフラッシュＲＡＭ（random access memory）、及びその他の特殊用途論理デバイス、例えば、ＡＳＩＣ（application specific integrated circuit（用途特定集積回路））、又はＧＡＬ（generic array logic（汎用アレイ論理素子））及び再プログラム可能ＦＰＧＡ（field programmable gate array（フィールド・プログラマブル・ゲート・アレイ））を収納できる。
【００５９】
各コンピュータは、しかも、複数の入力装置（例えば、キーボード、マイクロフォン、及びマウス）、及びモニタを制御するための表示コントローラを含むことができる。その上、コンピュータは、フロッピー（登録商標）ディスク駆動装置、その他の脱着可能な媒体装置（例えば、コンパクト・ディスク、テープ、及び脱着可能な磁気光媒体）；及びハード・ディスク、又はＳＣＳＩ（small computer system interface）バス、拡張ＩＤＥ（integrated drive electronics）バス、又はウルトラＤＭＡ（direct memory access）バスのような適切な装置を使用して接続されたその他の固定高密度媒体駆動装置、を含むことができる。コンピュータは、しかも、コンパクト・ディスク・リーダ、コンパクト・ディスク・リーダ／ライタ・ユニット、又はコンパクト・ディスク・ジュークボックス、これは同じデバイス・バス又は別のデバイス・バスに接続されることができる、を含むことができる。
【００６０】
上記したように、システムは、少なくとも１つのコンピュータ読み取り可能な媒体を含む。コンピュータ読み取り可能な媒体の例は、コンパクト・ディスク、ハード・ディスク、フロッピー・ディスク、テープ、磁気光ディスク、ＰＲＯＭ（例えば、ＥＰＲＯＭ，ＥＥＰＲＯＭ，フラッシュＥＰＲＯＭ）、ＤＲＡＭ，ＳＲＡＭ，ＳＤＲＡＭを含む。
【００６１】
コンピュータ読み取り可能な媒体のいずれか１つに又はその組み合わせに記憶されるものは、上に説明された機能を実行するために、コンピュータのハードウェアを制御するためのソフトウェア及び人間のユーザと情報を交換するためにコンピュータをイネーブルするためのソフトウェアの両方である。そのようなソフトウェアは、ユーザ・アプリケーション、装置のドライバ、オペレーティング・システム、開発ツール、及びその他を含むが、これらに限定されない。
【００６２】
そのようなコンピュータ読み取り可能な媒体は、コンピュータ実行可能なコード又はコンピュータ実行可能な命令を含んでいるコンピュータ・プログラム製品をさらに含み、これは、実行された時に、コンピュータに上記に開示された方法を実行させる。コンピュータ・コードは、任意のインタープリットされたコード又は実行可能なコードであることができ、スクリプト、インタープリッタ、ダイナミック・リンク・ライブラリ、ジャワ・クラス、完全な実行可能なプログラム、及びその他を含むが、これらに限定されない。
【００６３】
上記のものから、種々の構成（方法、システム、記録媒体上のコンピュータ・プログラム、及びその他）が提供されることは、当業者に明らかであろう。
【００６４】
本明細書は、同じロング・コードを用いて第１の名目上の直交偏波信号及び第２の名目上の直交偏波信号の両方をエンコーディングすること、及びそれぞれ第１の送信ソース及び第２の送信ソースから少なくとも１つの宛て先にロング−エンコードされた第１の名目上の直交偏波信号及び第２の名目上の直交偏波信号を送信することを含むことができる送信方法をサポートする。
【００６５】
本方法は、各サブチャネルにそれぞれ複数の実質的に相互に別個のウォルシュ符号を適用することによって第１の名目上の直交偏波信号及び第２の名目上の直交偏波信号の各々の複数のサブチャネルを直交化させることをさらに含む。直交化させるステップは、通信システムの異なるそれぞれのユーザから発せられた別のそれぞれの信号に異なるウォルシュ符号を適用することを含むことができる。
【００６６】
送信するステップは、直交符号分割多元接続（ＯＣＤＭＡ）通信システムにおいて実行されることができる。
【００６７】
送信するステップは、ロング−エンコードされた第１の名目上の直交偏波信号及び第２の名目上の直交偏波信号をそれぞれ複数の第１の送信ソースから及び複数の第２の送信ソースから少なくとも１つの宛て先に送信することを含むことができる。
【００６８】
本明細書は、同様に、下記の通信方法をサポートし、その通信方法は、上に説明された送信方法を含み、さらに、宛て先において、エンコードされた第１の名目上の直交偏波信号及び第２の名目上の直交偏波信号を受信すること；及び宛て先において受信された、受信されたエンコードされた第１の名目上の直交偏波信号及び第２の名目上の直交偏波信号に同じロング・コードを適用すること、を含む。
【００６９】
本明細書は、さらに、それぞれ第１の送信ソース及び第２の送信ソースから送信された第１の名目上の直交偏波信号及び第２の名目上の直交偏波信号を同じロング・コードを用いてエンコードした後で復調する方法をサポートする。本方法は、エンコードされた第１の名目上の直交偏波信号及び第２の名目上の直交偏波信号を受信すること、及び受信されたエンコードされた第１の名目上の直交偏波信号及び第２の名目上の直交偏波信号に同じロング・コードを適用することを含むことができる。
【００７０】
本方法は、各サブチャネルにそれぞれ複数の相互に別個のウォルシュ符号を適用することによって第１の名目上の直交偏波信号及び第２の名目上の直交偏波信号の各々の内部の複数のサブチャネルを分離することをさらに含む。分離するステップは、通信システムの異なるそれぞれのユーザから発せられた異なるそれぞれの信号に異なるウォルシュ符号を適用することを含むことができる。
【００７１】
受信するステップは、直交符号分割多元接続（ＯＣＤＭＡ）通信システムにおいて実行されることができる。
【００７２】
本開示は、同様に、上に説明された復調方法を含んでいる通信方法をサポートし、そしてさらに、同じロング・コードを用いて第１の名目上の直交偏波信号及び第２の名目上の直交偏波信号の両方をエンコードすること、及びそこで本復調方法が実行される少なくとも１つの宛て先にそれぞれ第１の送信ソース及び第２の送信ソースからロング−エンコードされた第１の名目上の直交偏波信号及び第２の名目上の直交偏波信号を送信することを含む、通信方法をサポートする。
【００７３】
送信するステップは、少なくとも１つの宛て先に、それぞれ複数の第１の送信ソース及び複数の第２の送信ソースからロング−エンコードされた第１の名目上の直交偏波信号及び第２の名目上の直交偏波信号を送信することを含むことができる。
【００７４】
本開示は、その上に、少なくとも１つのデータ処理装置を有するコンピュータ・システム上での実行のためのプログラム命令を記憶するコンピュータ・プログラム製品をサポートし、その命令は、コンピュータ・システムによって実行された時に、コンピュータ・システムに上で説明された方法を実行させる。
【００７５】
本開示は、さらに、上に説明された方法を実行するように設定されたシステムをサポートする。
【００７６】
上記の複数の実施形態は、単に例であり、そして本発明を制限するように解釈されることはない。本教示は、別のタイプの装置に容易に適用されることができる。複数の実施形態の説明は、例示であるように意図され、そして特許請求の範囲を制限しない。多くの代案、変更、及び変形は、上記の教示を考慮して当業者にとって明白である。例えば、端末、ノード、又はゲートウェイの特定のインプリメンテーションは、本発明の範囲から逸脱しないで変えることができる。当然、本発明の特定のハードウェア又はソフトウェア・インプリメンテーションは、本発明の範囲内に未だ留まりながら変えられることができる。したがって、添付された特許請求の範囲及びそれらと等価なものの範囲内であると理解され、本発明は、本明細書中に具体的に説明された以外で実行されることができる。
【図１】
2010035178.tif 000003
【図２】
2010035178.tif 000004
【図３】
2010035178.tif 000005
【図４】
2010035178.tif 000006
【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
送信方法、前記方法は：
同じロング・コードを用いて第１の名目上の直交偏波信号及び第２の名目上の直交偏波信号の両方をエンコードすること、前記ロング−エンコードされた第１の名目上の直交偏波信号及び第２の名目上の直交偏波信号はデータの同じ部分に少なくとも部分的に基づく；及び
直交符号分割多元接続（ＯＣＤＭＡ）通信システムにおいて、それぞれ第１の送信ソース及び第２の送信ソースから少なくとも１つの宛て先へ前記ロング−エンコードされた第１の名目上の直交偏波信号及び第２の名目上の直交偏波信号を送信すること、
を具備する方法。
【請求項２】
請求項１の方法、前記方法は：
各サブチャネルにおいてそれぞれ複数の相互に別個のウォルシュ符号を適用することによって前記第１の名目上の直交偏波信号及び第２の名目上の直交偏波信号の各々の複数のサブチャネルを直交化すること、
をさらに具備する。
【請求項３】
請求項２の方法、ここにおいて、前記直交化するステップは：
通信システムの異なるそれぞれのユーザから発せられる異なるそれぞれの信号に異なるウォルシュ符号を適用すること、を含む。
【請求項４】
請求項１の方法、ここにおいて、前記送信するステップは：
複数の第１の送信ソースから及び複数の第２の送信ソースから、それぞれ、前記少なくとも１つの宛て先へ前記ロング−エンコードされた第１の名目上の直交偏波信号及び第２の名目上の直交偏波信号を送信すること、を含む。
【請求項５】
請求項１の前記送信方法を含みそして下記をさらに具備する通信方法、前記方法は：
前記宛て先において、前記エンコードされた第１の名目上の直交偏波信号及び第２の名目上の直交偏波信号を受信すること；及び
前記宛て先において受信した前記受信したエンコードされた第１の名目上の直交偏波信号及び第２の名目上の直交偏波信号に前記同じロング・コードを適用すること、
を具備する方法。
【請求項６】
それぞれ第１の送信ソース及び第２の送信ソースから送信された第１の名目上の直交偏波信号及び第２の名目上の直交偏波信号を同じロング・コードを用いてエンコードした後で復調する方法、前記方法は：
直交符号分割多元接続（ＯＣＤＭＡ）通信システムにおいて、前記エンコードされた第１の名目上の直交偏波信号及び第２の名目上の直交偏波信号を受信すること、前記受信したエンコードされた第１の名目上の直交偏波信号及び第２の名目上の直交偏波信号は、データの同じパケットに関係する；及び
前記受信したエンコードされた第１の名目上の直交偏波信号及び第２の名目上の直交偏波信号に前記同じロング・コードを適用すること、
を具備する方法。
【請求項７】
請求項６の方法、前記方法は：
各サブチャネルにおいてそれぞれ複数の相互に別個のウォルシュ符号を適用することによって前記第１の名目上の直交偏波信号及び第２の名目上の直交偏波信号の各々の中の複数のサブチャネルを分離すること、をさらに具備する。
【請求項８】
請求項７の方法、ここにおいて、前記分離するステップは：
通信システムの異なるそれぞれのユーザから発せられる異なるそれぞれの信号に異なるウォルシュ符号を適用すること、を含む。
【請求項９】
請求項６の前記復調方法を含みそして下記をさらに具備する通信方法、前記通信方法は：
前記同じロング・コードを用いて前記第１の名目上の直交偏波信号及び第２の名目上の直交偏波信号の両方をエンコードすること；及び
前記復調する方法が実行される少なくとも１つの宛て先へ、それぞれ第１の送信ソース及び第２の送信ソースから前記ロング−エンコードされた第１の名目上の直交偏波信号及び第２の名目上の直交偏波信号を送信すること、
を具備する。
【請求項１０】
請求項９の方法、ここにおいて、前記送信するステップは：
複数の第１の送信ソースから及び複数の第２の送信ソースから、それぞれ、前記少なくとも１つの宛て先へ前記ロング−エンコードされた第１の名目上の直交偏波信号及び第２の名目上の直交偏波信号を送信すること、を含む。
【請求項１１】
少なくとも１つのデータ処理デバイスを有するコンピュータ・システム上で実行のためのプログラム命令を記憶するコンピュータ・プログラム製品、その命令は、前記コンピュータ・システムによって実行された時に、前記コンピュータ・システムに請求項１の方法を実行させる。
【請求項１２】
少なくとも１つのデータ処理デバイスを有するコンピュータ・システム上で実行のためのプログラム命令を記憶するコンピュータ・プログラム製品、その命令は、前記コンピュータ・システムによって実行された時に、前記コンピュータ・システムに請求項５の方法を実行させる。
【請求項１３】
少なくとも１つのデータ処理デバイスを有するコンピュータ・システム上で実行のためのプログラム命令を記憶するコンピュータ・プログラム製品、その命令は、前記コンピュータ・システムによって実行された時に、前記コンピュータ・システムに請求項６の方法を実行させる。
【請求項１４】
請求項１の方法を実行するために構成されたシステム。
【請求項１５】
請求項５の方法を実行するために構成されたシステム。
【請求項１６】
請求項６の方法を実行するために構成されたシステム。
【請求項１７】
送信システム、前記システムは：
同じロング・コードを用いて第１の名目上の直交偏波信号及び第２の名目上の直交偏波信号の両方をエンコードするための手段；
直交符号分割多元接続（ＯＣＤＭＡ）通信システムにおいて、第１の送信ソースから少なくとも１つの宛て先へ前記ロング−エンコードされた第１の名目上の直交偏波信号を送信するための第１の手段、前記ロング−エンコードされた第１の名目上の直交偏波信号及び第２の名目上の直交偏波信号はデータの同じ部分に少なくとも部分的に基づく；及び
第２の送信ソースから少なくとも１つの宛て先へ前記ロング−エンコードされた第２の名目上の直交偏波信号を送信するための第２の手段、
を具備する送信システム。
【請求項１８】
請求項１７のシステム、前記システムは：
各サブチャネルにおいてそれぞれ複数の相互に別個のウォルシュ符号を適用することによって前記第１の名目上の直交偏波信号及び第２の名目上の直交偏波信号の各々の複数のサブチャネルを直交化するための手段、をさらに具備する。
【請求項１９】
請求項１８のシステム、ここにおいて、前記直交化する手段は：
通信システムの異なるそれぞれのユーザから発せられる異なるそれぞれの信号に異なるウォルシュ符号を適用するための手段、を含む。
【請求項２０】
請求項１７のシステム、ここにおいて、前記第１の送信手段及び第２の送信手段は：
複数の第１の送信ソースから及び複数の第２の送信ソースから、それぞれ、前記少なくとも１つの宛て先へ前記ロング−エンコードされた第１の名目上の直交偏波信号及び第２の名目上の直交偏波信号を送信するための手段、を含む。
【請求項２１】
請求項１７の送信システムを含みそして下記をさらに具備する通信システム、前記通信システムは：
前記エンコードされた第１の名目上の直交偏波信号及び第２の名目上の直交偏波信号を受信するための手段；及び
前記宛て先において受信した前記受信したエンコードされた第１の名目上の直交偏波信号及び第２の名目上の直交偏波信号に前記同じロング・コードを適用するための手段、
を具備する通信システム。
【請求項２２】
それぞれ第１の送信ソース及び第２の送信ソースから送信された第１の名目上の直交偏波信号及び第２の名目上の直交偏波信号を同じロング・コードを用いてエンコードした後で復調するためのシステム、前記システムは：
直交符号分割多元接続（ＯＣＤＭＡ）通信システムにおいて、前記エンコードされた第１の名目上の直交偏波信号及び第２の名目上の直交偏波信号を受信するための手段、前記受信したエンコードされた第１の名目上の直交偏波信号及び第２の名目上の直交偏波信号は、データの同じパケットに関係する；及び
前記受信したエンコードされた第１の名目上の直交偏波信号及び第２の名目上の直交偏波信号に前記同じロング・コードを適用するための手段、
を具備するシステム。
【請求項２３】
請求項２２のシステム、前記システムは：
各サブチャネルにおいてそれぞれ複数の相互に別個のウォルシュ符号を適用することによって前記第１の名目上の直交偏波信号及び第２の名目上の直交偏波信号の各々の中の複数のサブチャネルを分離するための手段、
をさらに具備する。
【請求項２４】
請求項２３のシステム、ここにおいて、前記分離する手段は：
通信システムの異なるそれぞれのユーザから発せられる異なるそれぞれの信号に異なるウォルシュ符号を適用するための手段、を含む。
【請求項２５】
請求項２２の復調システムを含みそして下記をさらに具備する通信システム、前記通信システムは：
前記同じロング・コードを用いて前記第１の名目上の直交偏波信号及び第２の名目上の直交偏波信号の両方をエンコードするための手段；
第１の送信ソースから少なくとも１つの宛て先へ前記ロング−エンコードされた第１の名目上の直交偏波信号を送信するための第１の手段；及び
第２の送信ソースから少なくとも１つの宛て先へ前記ロング−エンコードされた第２の名目上の直交偏波信号を送信するための第２の手段、
を具備する通信システム。
【請求項２６】
請求項２５のシステム、ここにおいて、前記第１の送信手段及び第２の送信手段は：
複数の第１の送信ソースから及び複数の第２の送信ソースから、それぞれ、前記少なくとも１つの宛て先へ前記ロング−エンコードされた第１の名目上の直交偏波信号及び第２の名目上の直交偏波信号を送信するための手段、を含む。
【外国語明細書】
2010035178000001.pdf